(57)【要約】      （修正有）【課題】実際のゴルフ場のグリーンと同様に、マット体に微妙なアンジュレーションを形成させることにより、理想的かつ効果的なパッティング練習をすることができるゴルフパッティング用マットを提供する。【解決手段】起毛部を有するシート部と、該シート部の底面に配置される柔軟性を有する板状体とを備えるマット体の下面に、起状形成具１０が取り外し自在に配設される。また、マット体の側面にガード部を装着したり、マット体を分割可能に連結したり、さらにマット体をリバーシブル構造に形成したりすることができる。【選択図】図４
0003164330.tif 000002
【実用新案登録請求の範囲】
【請求項１】
起毛部を有するシート部と、該シート部の底面に配置される柔軟性を有する板状体とを備えマット体の下面に、起状形成具が取り外し自在に配設されることを特徴とするゴルフパッティング用マット。
【請求項２】
前記起状形成具が、肉厚部材である請求項１記載のゴルフパッティング用マット。
【請求項３】
前記起状形成具が、流動体を収容した袋体である請求項１記載のゴルフパッティング用マット。
【請求項４】
前記起状形成具が、前記マット体の下面に着脱自在に装着される突状体である請求項１記載のゴルフパッティング用マット。
【請求項５】
前記マット体の側面にガード部を装着した請求項１乃至４のうち何れか一項に記載のゴルフパッティング用マット。
【請求項６】
前記マット体を分割可能に連結した請求項１乃至５のうち何れか一項に記載のゴルフパッティング用マット。
【請求項７】
前記マット体をリバーシブル構造とした請求項１乃至６のうち何れか一項に記載のゴルフパッティング用マット。
【請求項８】
前記マット体の表面と裏面に、形状の異なる起毛部を装着した請求項７記載のゴルフパッティング用マット。
【考案の詳細な説明】
【技術分野】
【０００１】
本考案は、ゴルフのパットを練習するパッティング用マットに関し、特に、微妙なアンジュレーションを形成することができるゴルフパッティング用マットに関する。
【背景技術】
【０００２】
ゴルフをプレーする際、スコアーメイクにはパットを上達させるのが一番の近道である。パッティングは、打ち出しの角度や強弱、またボールの転がり具合が大きなポイントとなる。そのため従来、熱心なプレーヤーはゴルフ練習場でパッティングの練習をする他、市販のパッティング用マットを購入して自宅でも練習したりしていた。
【０００３】
パッティングを練習するマットの先行技術としては一般的なものの他、例えば、特許文献１によりパッティング演習ゴルフボールがマットから離脱することを防止し、かつ、マットをロール形状に巻き取って保管することができるボックスと一体化した携帯用ゴルフパッティング演習マットが報告されている。
【０００４】
上掲特許文献１に記載された携帯用ゴルフパッティング演習マットにおいては、左右面、上下面及び前後面を有するおよそ六面体形状のボックスと、前記ボックスの内部に収納され、両端がそれぞれボックスの左右面に回動可能に支持される回転棒と、前記回転棒の一端から延びてボックスの外部に突出する回転棒回転用取っ手と、一端が前記回転棒に固定され、他端がボックスの前面に形成された開口を通じて引き出される自由端であるマットと、前記マットの長手方向両側辺部にそれぞれ折畳式で付着される柔軟性ガイド壁と、を含んでなるものである。
【先行技術文献】
【特許文献】
【０００５】
【特許文献１】特開２００８−２００４９５号公報（特許請求の範囲等）
【考案の概要】
【考案が解決しようとする課題】
【０００６】
しかしながら、これまでのゴルフパッティング用マットは、実際のゴルフ場のように、微妙なアンジュレーション（起伏）があるグリーンを設定した練習はできなかった。
上掲特許文献１の携帯用ゴルフパッティング演習マットにおいても、ゴルフボールがマットから離脱することを防ぎ、さらにマットを巻き取って保管することができることが記載されてはいるが、ボックスから引き出されたマットは地面上に平坦な状態に配置されているため、アンジュレーションがあるグリーンの設定は無理であった。
【０００７】
そこで本考案の目的は、実際のゴルフ場のグリーンと同様に、マット体に微妙なアンジュレーションを形成させることにより、理想的かつ効果的なパッティングの練習を行うことができるゴルフパッティング用マットを提供することにある。
【課題を解決するための手段】
【０００８】
上記課題を解決するために、本考案のゴルフパッティング用マットは、起毛部を有するシート部と、該シート部の底面に配置される柔軟性を有する板状体とを備えマット体の下面に、起状形成具が取り外し自在に配設されることを特徴とするものである。
【０００９】
本考案のゴルフパッティング用マットにおいては、前記起状形成具肉厚部を有する部材である。
【００１０】
また、前記起状形成具は、流動体を収容した袋体とすることができる。
【００１１】
さらに、前記起状形成具は、マット体の下面に装着される突状体としてもよい。
【００１２】
また、前記マット体の側面にはガード部を装着することができる。
【００１３】
さらに、前記マット体を分割可能に連結してもよい。
【００１４】
さらにまた、前記マット体をリバーシブル構造としてもよい。
【００１５】
さらにまた、前記マット体の表面と裏面に、形状の異なる起毛部を装着してもよい。
【考案の効果】
【００１６】
本考案のゴルフパッティング用マットによれば、柔軟性を有する板状体の下面に、起状形成具を配設することで、マット体に微妙なアンジュレーションを形成することができる。これにより、実際のゴルフ場のグリーンと同じような状態でパッティング練習を行うことができる。
【００１７】
また、マット体の側面にガード部を装着したり、マット体を分割可能に連結したりすることで、練習時の利便性が向上するとともに、収納や携帯の面でも優れた特性を発揮できる。
【００１８】
さらに、マット体をリバーシブル構造とし、表面と裏面に形状の異なる起毛部を装着することで、芝の種類に応じたパッティング練習を行うことができる。
【図面の簡単な説明】
【００１９】
【図１】本考案のゴルフパッティング用マットにおけるマット体の斜視図である。
【図２】図１に示すマット体の拡大断面図である。
【図３】ゴルフパッティング用マットの斜視図である。
【図４】マット体の下面に起状形成具を配設した状態を示す斜視図である。
【図５】（ａ）〜（ｅ）は各種好適起状形成具の斜視図である。
【図６】流動体を収容した袋体からなる他の好適起状形成具の斜視図である。
【図７】マット体の下面に装着される突状体からなる他の好適起状形成具の斜視図である。
【図８】マット体の側面にガード部を装着した状態を示す部分斜視図である。
【図９】分割可能に連結するマット体を示す部分斜視図である。
【図１０】リバーシブル構造のマット体を示す断面図である。
【図１１】本考案のゴルフパッティング用マットの使用状態を示す平面図である。
【考案を実施するための形態】
【００２０】
以下、本考案のゴルフパッティング用マットにおける実施の形態を図面に基づいて説明する。
【００２１】
図１乃至図４に示す一実施の形態に係るゴルフパッティング用マット１は、起毛部４を有するシート部３と、シート部３の底面に配置される柔軟性を有する板状体５とを備えるマット体２の下面に、起状形成具１０が配置されている。これにより、マット本体２に微妙なアンジュレーションが形成され、理想的かつ効果的なパッティングの練習を行うことができる。
【００２２】
マット体２のサイズは特に限定されたものではないが、パッティング練習に好適な、長さ２００ｃｍ〜３００ｃｍ、幅４０ｃｍ〜９０ｃｍ程度にて形成されている。
【００２３】
シート部３は、薄手で柔軟性を有するシート体からなり、シート部３の上面には起毛部４が形成されている。起毛部４は、実際のグリーン上に植成されている芝に類似しているものが好ましいが、起毛状に形成された繊維や樹脂でもよい。また、市販のパッティング練習に使用される人工芝等を用いてもよい。
【００２４】
シート部３の底面には板状体５が配置されている。かかる板状体５は、エラストーマや樹脂等の柔軟性を有する素材にて形成されており、後述詳細の起状形成具１０を下面に配設した際、マット本体２に緩やかな起伏を形成できるものである。なお、板状体５は、接着剤６を介してシート部３に装着されている。
【００２５】
起状形成具１０は、マット体２の下面に配設することで、マット体２に緩やかなアンジュレーションを形成させる役割を有する。かかる起状形成具１０は、肉厚部１１を有するさまざまな形状の部材とすることができる。起状形成具１０の形状は特に限定されるものではなく、例えば、図５の（ａ）に示す、肉厚部１１を有するくさび形状、（ｂ）に示す、肉厚部１１を有する円柱状、（ｃ）に示す、肉厚部１１を有する半球状、（ｄ）に示す、肉厚部１１を有する球状、（ｅ）に示す、肉厚部１１を有する六面体状等、とすることができる。また、上記の形状以外にも、適宜高さの肉厚部を有するものであれば、用いることができる。
【００２６】
また、他の好適な起状形成具１０として、図６に示すように、流動体１２を収容した袋体１３とすることができる。流動体１２は、例えば、小片状のカットパイプや発泡ビーズ等が用いられる。かかる流動体１２を袋体１３内に収容した起状形成具１０を押圧して任意の形状に形成し、しかる後、かかる起状形成具１０をマット体２の下面に配設することで、マット体２に所望の緩やかなアンジュレーションを形成することができる。
【００２７】
また、他の好適例な起状形成具１０として、図７に示すように、板状体５の下面に装着される突状体１４とすることもできる。かかる突状体１４には螺子部１５が形成されており、かかる螺子部１５を板状体５の底面に形成された螺合部１６に螺着することで、マット部２に任意の高のアンジュレーションを形成することができる。
【００２８】
また、本考案の他の好適例として、図８に示すように、マット体２の側面にガード部７を装着してもよい。ガード部７は、マット体２上にボール収容具Ａを載置させた際、ボール収容具Ａからはずれたゴルフボールがマット体２の外へ転がり出るのを防ぐ役割を有する。マット体２の側面にこのガード部７を装着することにより、パッティング練習の際、ボール収容具Ａに入らなかったゴルフボールをマット体２の外まで拾いに行く手間を省くことができる。
【００２９】
また、さらに他の本考案の好適例として、図９に示すように、マット体２を分割可能に連結してもよい。例えば、前記マット体２を二分割し、分割部分を連結具８にて連結とすることで、マット体２を分割可能に形成することができる。これにより、収納や運搬が容易になるとともに、狭い場所でのパッティング練習を行うことができる。
【００３０】
また、さらに他の本考案の好適例として、図１０に示すように、マット体２の表面と裏面に、形状の異なる起毛部４，４ａを装着してもよい。例えば、図示する表面側に高麗芝形状の人工芝４を、裏面側にベント芝形状の人工芝４ａを形成することもできる。このようにマット体２をリバーシブル構造とすることで、芝の種類に応じたパッティング練習を行うことができる。
【００３１】
次に、本考案のゴルフパッティング用マットの使用方法を図１０の（ａ）、（ｂ）に基づいて説明する。
【００３２】
（ａ）は、マット体２下面であって、左側部の略中央部分に起状形成具１０を配設した状態を示す。この場合、マット体２の左側部の略中央部分に緩やかなアンジュレーションが形成されるため、ボール収容具Ａの開口部を、起状形成具１０が配設された方向に向けて載置することにより、アンジュレーションを利用したパッティングの練習を行うことが可能となる。
【００３３】
即ち、プレーヤーはアンジュレーションによるゴルフボールＢの軌道を推測し、起状形成具１０を配設させた方向にゴルフボールＢをパットすると、ゴルフボールＢの打ち出しの角度や強弱、またボールの転がり具合等の読みが当たった場合にのみ、ゴルフボールＢは緩やかなフックラインを描いてボール収容具Ａ内に収容される。因みに、起状形成具１０をマット体２の右側部の略中央部分に配設すると、ゴルフボールＢは緩やかなスライスラインを描いてボール収容具Ａ内に収容されることになる。
【００３４】
（ｂ）は、マット体２下面の左側部の手前（プレーヤー側）部分と、マット体２下面の右側部の先方（ボール収容具Ａ側）部分に起状形成具１０を配設させた状態を示す。この場合、マット体２左側部の手前部分と、右側部の先方部分に緩やかなアンジュレーションが形成されるため、ボール収容具Ａの開口部を起状形成具１０が配設された方向に向けて載置することにより、より複雑なアンジュレーションを利用したパッティングの練習を行うことが可能となる。
【００３５】
即ち、プレーヤーは、かかる複雑なアンジュレーションによるゴルフボールＢの軌道を推測し、起状形成具１０を配設させた方向にゴルフボールＢをパットすると、ゴルフボールＢの打ち出しの角度や強弱、またボールの転がり具合等の読みが当たった場合にのみ、ゴルフボールＢは緩やかなＳ字ラインを描いてボール収容具Ａ内に収容される。因みに、起状形成具１０の配設側を入れ替えると、ゴルフボールＢは緩やかな逆Ｓ字ラインを描いてボール収容具Ａ内に収容される。
【００３６】
さらに、マット体２の下面であって、任意の箇所に、単数、もしくは形状の異なる複数の起状形成具１０を配設することで、様々なバリエーションのアンジュレーションを形成させることができ、パッチィングの技術をより効率よく向上させることができる。
【符号の説明】
【００３７】
１  ゴルフパッティング用マット
２  マット体
３  シート部
４  起毛部
５  板状体
６  接着剤
７  ガード部
８  連結具
１０  起状形成具
１１  肉厚部
１２  流動体
１３  袋体
１４  突状体
１５  螺子部
１６  螺合部
Ａ  ボール収容具
Ｂ  ゴルフボール
【図１】
0003164330.tif 000003
【図２】
0003164330.tif 000004
【図３】
0003164330.tif 000005
【図４】
0003164330.tif 000006
【図５】
0003164330.tif 000007
【図６】
0003164330.tif 000008
【図７】
0003164330.tif 000009
【図８】
0003164330.tif 000010
【図９】
0003164330.tif 000011
【図１０】
0003164330.tif 000012
【図１１】
0003164330.tif 000013
【手続補正書】
【提出日】平成22年9月16日(2010.9.16)
【手続補正１】
【補正対象書類名】実用新案登録請求の範囲
【補正対象項目名】全文
【補正方法】変更
【補正の内容】
【実用新案登録請求の範囲】
【請求項１】
起毛部を有するシート部と、該シート部の底面に配置される柔軟性を有する板状体とを
備えたマット体の下面に、起状形成具が配設されることを特徴とするゴルフパッティング用マット。
【請求項２】
前記起状形成具が、肉厚部材である請求項１記載のゴルフパッティング用マット。
【請求項３】
前記起状形成具が、流動体を収容した袋体である請求項１記載のゴルフパッティング用マット。
【請求項４】
前記起状形成具が、前記マット体の下面に装着される突状体である請求項１記載のゴルフパッティング用マット。
【請求項５】
前記マット体の側面にガード部を装着した請求項１乃至４のうち何れか一項に記載のゴ
ルフパッティング用マット。
【請求項６】
前記マット体を分割可能に連結した請求項１乃至５のうち何れか一項に記載のゴルフパッティング用マット。
【請求項７】
前記マット体をリバーシブル構造とした請求項１乃至６のうち何れか一項に記載のゴルフパッティング用マット。
【請求項８】
前記マット体の表面と裏面に、形状の異なる起毛部を装着した請求項７記載のゴルフパ
ッティング用マット。
【手続補正２】
【補正対象書類名】明細書
【補正対象項目名】０００８
【補正方法】変更
【補正の内容】
【０００８】
上記課題を解決するために、本考案のゴルフパッティング用マットは、起毛部を有するシート部と、該シート部の底面に配置される柔軟性を有する板状体とを備えたマット体の下面に、起状形成具が配設されることを特徴とするものである。